(57)【特許請求の範囲】
【請求項１】
上部カバーと下部カバーとを具備する本体部と、バルーンガイドチューブと、前記バルーンガイドチューブに沿ってバルーンをスライド移動させるバルーン移動部と、前記バルーンガイドチューブの末端を撓ませる撓み調整部とを含み、
前記撓み調整部は、
前記バルーンガイドチューブの末端に固定して内包されたリング部と、
前記リング部に一端がそれぞれ固定された第１及び第２ワイヤと、
前記第１及び第２ワイヤの他端が固定されるステアリングハンドルと、
を含み、
前記ステアリングハンドルは、その中心部を基準として時計回りまたは反時計回りに回動可能であり、
前記ステアリングハンドルの中心部は、前記バルーンガイドチューブの中心線の延長線上に位置し、
前記第１及び第２ワイヤの他端は、前記ステアリングハンドルの中心部から同一距離に形成された前記ステアリングハンドルのワイヤ案内孔にそれぞれ挿入され、
前記ステアリングハンドルの下面には、前記第１及び第２ワイヤの他端がそれぞれ巻かれる固定部が前記ステアリングハンドルの中心部から同一距離に位置しており、
前記第１及び第２ワイヤが形成する平面は、前記ステアリングハンドルの中心部に対して垂直であり、
前記上部カバーは、
前記ステアリングハンドルの胴体部が突き出して出るステアリングハンドル貫通孔と、
前記ステアリングハンドル貫通孔の周りから前記上部カバーの内部に延長した壁部と、を含み、
前記ステアリングハンドルのフランジが前記壁部にかかって前記ステアリングハンドルが前記上部カバーから離脱しないようになっており、
前記ステアリングハンドルの前記フランジ上には突起部が具備され、前記突起部は、前記ステアリングハンドルの回動時に、前記上部カバーの前記壁部の底面に形成された複数個の溝部に順次に挿入及び離脱するようになっており、
前記ステアリングハンドルの回動を停止する回動ストッパーがさらに具備され、
前記回動ストッパーは、
前記上部カバー及び前記下部カバーを貫通するバーと、
前記バーから延長するバーフランジ部と、
前記バーフランジ部から延長し、前記ステアリングハンドルの前記フランジの下部に形成された複数個の係止溝に選択的に結合する係止突起と、
一端は前記バーフランジ部に接触し、他端は前記下部カバーの内壁に接触する弾性部材と、を含むバルーンカテーテル。
【請求項２】
前記バルーン移動部は、
前記バルーンガイドチューブを内包しながら前記バルーンガイドチューブに沿って相対的にスライドし、一端に前記バルーンが固定されたチューブ管と、
前記チューブ管に固定され、前記チューブ管を前記バルーンガイドチューブが延長する方向及びその反対方向に移動させるチューブ管移動部と、
を含む請求項１に記載のバルーンカテーテル。
【請求項３】
前記チューブ管は前記バルーンと同一の材質でコーティングされ、前記バルーンは前記チューブ管上に融着する請求項２に記載のバルーンカテーテル。
【請求項４】
前記バルーンガイドチューブには３個の貫通孔が形成され、
この中で２個の貫通孔には前記第１及び第２ワイヤがそれぞれ通過し、
前記バルーンガイドチューブの中心に位置する残りの１個の貫通孔にはＬＥＤ繊維が通過する請求項１に記載のバルーンカテーテル。
【請求項５】
前記本体部には前記ＬＥＤ繊維に電源を供給する電源供給部が具備され、
前記上部カバーのスリットに挿入されて前記電源供給部から前記ＬＥＤ繊維への電源供給を選択的に遮断することができる遮断プレートを具備する請求項４に記載のバルーンカテーテル。
【請求項６】
前記バルーンに流体を供給可能な流体ポートが具備され、
前記流体ポートから延長する流体供給チューブは、前記チューブ管を取り囲みながら前記チューブ管の外壁に固定された流体供給チューブ固定管に連結され、
前記チューブ管の外壁には、前記流体供給チューブから流出された流体が流入される流体流入孔が形成され、
前記流体は、前記流体ポート、前記流体供給チューブ、そして前記流体流入孔に順次に流入されて、前記チューブ管の内壁と前記バルーンガイドチューブの外壁との間の流路を通じて前記バルーンに供給される請求項２に記載のバルーンカテーテル。
【請求項７】
前記バルーン移動部は、前記チューブ管及び前記流体供給チューブ固定管と連動して一体で移動する請求項６に記載のバルーンカテーテル。
【発明の詳細な説明】
【技術分野】
【０００１】
本発明は、バルーンカテーテルに関する。
【背景技術】
【０００２】
人間の顔骨の中には幾つかの空の空間があり、この空の空間を副鼻洞と呼ぶ。そして、副鼻洞と呼ぶ空の空間の中に細菌やウイルスが浸透して炎症が発生することを副鼻洞炎という。
【０００３】
このような副鼻洞炎を治療するための方法としてバルーンカテーテルの施術方法が使用されており、この方法は、既存の手術方法より施術後に回復が速いという長所を有する。
【０００４】
バルーンカテーテルを使用する副鼻洞炎施術は、先ずカテーテルを鼻腔に挿入し、副鼻洞入口部でカテーテルの末端に位置するバルーンを拡張させて副鼻洞内部の炎症、分泌物などを除去する方式で施される。
【０００５】
図１３には、特許文献１に開示された副鼻洞炎手術に使用されることができるバルーンカテーテルを図示している。参考として、図１３は、該特許文献の図１に該当するもので、便宜上、図面符号などは修正せずにそのまま表示した。
【０００６】
ところで、該バルーンカテーテルは、副鼻洞の適切な位置にバルーンカテーテルを挿入するためには、バルーンカテーテルの末端を所望の角度に撓ませた後、オンオフ方式で手軽く撓まれた角度を固定することができないという問題点を有している。
【先行技術文献】
【特許文献】
【０００７】
【特許文献１】韓国公開特許公報第１０−２０１８−０１１３６６０号（２０１８．１０．１７．）
【発明の概要】
【発明が解決しようとする課題】
【０００８】
本発明は、上述したような従来技術の問題点を解決するためのもので、本発明の目的は、使用者が所望の角度でカテーテル末端を使用者が所望の位置に撓ませた後、オンオフ方式で手軽く固定することができるバルーンカテーテルを提供することにある。
【課題を解決するための手段】
【０００９】
上記の目的を達成するために、本発明の一実施例によるバルーンカテーテルは、上部カバーと下部カバーとを具備する本体部と、バルーンガイドチューブと、前記バルーンガイドチューブに沿ってバルーンをスライド移動させるバルーン移動部と、前記バルーンガイドチューブの末端を撓ませる撓み調整部とを含み、前記撓み調整部は、前記バルーンガイドチューブの末端に固定して内包されたリング部と、前記リング部に一端がそれぞれ固定された第１及び第２ワイヤと、前記第１及び第２ワイヤの他端が固定されるステアリングハンドルとを含み、前記ステアリングハンドルは、その中心部を基準として時計回りまたは反時計回りに回動可能であり、前記ステアリングハンドルの中心部は、前記バルーンガイドチューブの中心線の延長線上に位置し、前記第１及び第２ワイヤの他端は、前記ステアリングハンドルの中心部から同一距離に形成された前記ステアリングハンドルのワイヤ案内孔にそれぞれ挿入され、前記第１及び第２ワイヤが形成する平面は、前記ステアリングハンドルの中心部に対して垂直である。
【００１０】
また、前記上部カバーは、前記ステアリングハンドルの胴体部が突き出して出るステアリングハンドル貫通孔と、前記ステアリングハンドル貫通孔の周りから前記上部カバーの内部に延長した壁部とを含み、前記ステアリングハンドルのフランジが前記壁部にかかって前記ステアリングハンドルが前記上部カバーから離脱しない。
【００１１】
また、前記ステアリングハンドルの回動を停止する回動ストッパーがさらに具備され、前記回動ストッパーは、前記上部カバー及び前記下部カバーを貫通するバーと、前記バーから延長するバーフランジ部と、前記バーフランジ部から延長し、前記ステアリングハンドルの複数個の係止溝に選択的に結合する係止突起と、一端は前記バーフランジ部に接触し、他端は前記下部カバーの内壁に接触する弾性部材とを含む。
【００１２】
また、前記バルーン移動部は、前記バルーンガイドチューブを内包しながら前記バルーンガイドチューブに沿って相対的にスライドし、一端に前記バルーンが固定されたチューブ管と、前記チューブ管に固定され、前記チューブ管を前記バルーンガイドチューブが延長する方向及びその反対方向に移動させるチューブ管移動部とを含む。
【００１３】
また、前記チューブ管は前記バルーンと同一の材質でコーティングされ、前記バルーンは前記チューブ管上に融着するバルーンカテーテル。
【００１４】
また、前記バルーンガイドチューブには３個の貫通孔が形成され、この中で２個の貫通孔には前記第１及び第２ワイヤがそれぞれ通過し、前記バルーンガイドチューブの中心に位置する残りの１個の貫通孔にはＬＥＤ繊維が通過する。
【００１５】
また、前記本体部には前記ＬＥＤ繊維に電源を供給する電源供給部が具備され、前記上部カバーのスリットに挿入されて前記電源供給部から前記ＬＥＤ繊維への電源供給を選択的に遮断することができる遮断プレートを具備する。
【００１６】
また、前記バルーンに流体を供給可能な流体ポートが具備され、前記流体ポートから延長する流体供給チューブは、前記チューブ管を取り囲みながら前記チューブ管の外壁に固定された流体供給チューブ固定管に連結され、前記チューブ管の外壁には、前記流体供給チューブから流出された流体が流入される流体流入孔が形成され、前記流体は、前記流体ポート、前記流体供給チューブ、そして前記流体流入孔に順次に流入されて、前記チューブ管の内壁と前記バルーンガイドチューブの外壁との間の流路を通じて前記バルーンに供給される。
【００１７】
また、前記ステアリングハンドルの下面には、前記第１及び第２ワイヤの他端がそれぞれ巻かれる固定部が前記ステアリングハンドルの中心部から同一距離に位置する。
【００１８】
また、前記ステアリングハンドルのフランジ上には突起部が具備され、前記突起部は、前記ステアリングハンドルの回動時に、前記上部カバーの壁部の底面に形成された複数個の溝部に順次に挿入及び離脱する。
【００１９】
また、前記バルーン移動部は、前記チューブ管及び前記流体供給チューブ固定管と連動して一体で移動する。
【発明の効果】
【００２０】
上述した構成を有する本発明の実施例によるバルーンカテーテルは、次のような効果を有する。
【００２１】
第１及び第２ワイヤの他端は、ステアリングハンドルの中心部から同一距離に形成されたステアリングハンドルのワイヤ案内孔にそれぞれ挿入され、第１及び第２ワイヤが形成する平面は、ステアリングハンドルの中心部に対して垂直な関係により、ステアリングハンドルの回動時に第１及び第２ワイヤが形成する平面上でバルーンガイドチューブの末端が撓まれることで、使用者がガイドチューブの末端の撓む方向を正確に調節することができる。また、ステアリングハンドルの中心部をバルーンガイドチューブの中心線の延長線上に位置させることで、使用者がバルーンガイドチューブの末端が撓む程度を容易に調節することができる。
【００２２】
突起部がステアリングハンドルの回動時に、上部カバーの壁部の底面に形成された複数個の溝部に順次に挿入及び離脱することで、使用者にとって感覚的にステアリングハンドルの回動角度を見積ることができるようにする。
【００２３】
チューブ管外面をバルーンと同一の材質で先にコーティングした後、バルーンをチューブ管に融着させることで、バルーン膨脹時にバルーンの外に流体が漏れることを確実に防止することができる。
【００２４】
回動ストッパーを使用して、オン−オフ方式で手軽くステアリングハンドルの回動を防止してカテーテル末端が撓まれた角度で固定及び固定解除されるようにすることができる。
【００２５】
一方、本発明は、明示的に記載されてはいないが、上述した構成から期待できる他の効果ももちろん含む。
【図面の簡単な説明】
【００２６】
【図１】（ａ）は本発明の一実施例によるバルーンカテーテルの平面図であり、（ｂ）はその側面図あり、（ｃ）は他の方面からみた側面図である。
【図２】図１のバルーンカテーテルで上部カバーを除去した状態における主要構成図を示す。
【図３】図１のバルーンカテーテルでステアリングハンドルの中心部がバルーンガイドチューブの中心線の延長線上に位置する様子を示す。
【図４】図３において、ステアリングハンドル部分の部分拡大図である。
【図５】図１のバルーンカテーテルでステアリングハンドルと回動ストッパーの結合関係を示す。
【図６】図１のバルーンカテーテルでステアリングハンドルが装着される上部カバーを上下からみた主要構成図である。
【図７】図３のＡ−Ａ方向における断面図である。
【図８】図７のＢ−Ｂ方向における断面図である。
【図９】図１のカテーテルでバルーン膨脹のための流体の流動と関連した構成要素を示す図面である。
【図１０】図１のバルーンカテーテルのステアリングハンドルを下部からみた図面である。
【図１１】図１のバルーンカテーテルでステアリングハンドルが回動してバルーンガイドチューブの末端が撓まれた状態を示す。
【図１２】図１１において、チューブ管移動部が前方に移動してバルーンをバルーンガイドチューブに沿ってスライドさせた状態を示す。
【図１３】従来のバルーンカテーテルを示す。
【発明を実施するための形態】
【００２７】
以下、添付の図面を参考として本発明の実施例について本発明が属する技術分野で通常の知識を有する者が実施できるように詳しく説明する。しかし、本発明は、様々な異なる形態で具現されることができ、ここで説明する実施例に限定されない。
【００２８】
図１には、本発明の一実施例によるバルーンカテーテルの模式図が示されている。
【００２９】
本バルーンカテーテルは、上部カバー５１と下部カバー５２とを具備する本体部５と、バルーンガイドチューブ１と、バルーンガイドチューブ１に沿ってバルーン２をスライド移動させるバルーン移動部３と、バルーンガイドチューブ１の末端を撓ませる撓み調整部４とを含む。
【００３０】
図２に示すように、撓み調整部４は、バルーンガイドチューブ１の末端に固定して内包されたリング部４１と、リング部４１に一端がそれぞれ固定された第１及び第２ワイヤ４２、４３と、第１及び第２ワイヤ４２、４３の他端が固定されるステアリングハンドル４４とを含む。
【００３１】
バルーンガイドチューブ１は、編組線（ブレイデッドワイヤ）（ｂｒａｉｄｅｄ  ｗｉｒｅ）からなり、チューブの強直性を具備した可撓性（ｆｌｅｘｉｂｌｅ）チューブである。また、ブレイデッドワイヤの周りを再び取り囲む追加的な管２を具備することができる。
【００３２】
図４に示すように、ステアリングハンドル４４は、その中心部（中心軸）Ａを基準として時計回りまたは反時計回りに回動可能である。ここで、ステアリングハンドル４４の中心部Ａは図３に示すように、バルーンガイドチューブ１の中心線Ｃ１の延長線上に位置する。
【００３３】
図５に示すように、第１及び第２ワイヤ４２、４３の他端は、ステアリングハンドル４４の中心部Ａから同一距離に形成されたステアリングハンドル４４のワイヤ案内孔４４１、４４２にそれぞれ挿入される。また、図４及び図１０に示すように、ステアリングハンドル４４の下面には、第１及び第２ワイヤ４２、４３の他端がそれぞれ巻かれる固定部４４６、４４７がステアリングハンドル４４の中心部Ａから同一距離に位置することができる。具体的に、固定部４４６、４４７は、雌ねじが形成されたボルト状であることができ、この周りに第１及び第２ワイヤ４２、４３が巻かれた状態で、ステアリングハンドル４４の下面に形成された孔に挿入されることができる。
【００３４】
そして、第１及び第２ワイヤ４２、４３の形成する平面は、ステアリングハンドル４４の中心部Ａに対して垂直である。つまり、第１及び第２ワイヤ４２、４３が通る単一の平面をステアリングハンドル４４の中心軸が垂直に貫通する。
【００３５】
これにより、図１２に示すように、ステアリングハンドル４４の回動時（図１に対比して時計回りに回転された状態を表示）、第１及び第２ワイヤ４２、４３が形成する平面上でバルーンガイドチューブ１の末端が撓むことで、使用者がガイドチューブ１の末端の撓む方向を正確に直観的に調節可能になる。また、ステアリングハンドル４４の中心部Ａをバルーンガイドチューブ１の中心線Ｃ１の延長線上に位置させることで、使用者がバルーンガイドチューブ１の末端が撓む程度を容易に調節することができる。
【００３６】
図６に示すように、本体部５の上部カバー５１はステアリングハンドル４４の胴体部４４３が突き出して出るステアリングハンドル貫通孔５１１と、ステアリングハンドル貫通孔５１１の周りから上部カバー５１の内部に延長した壁部５１２とを含む。
【００３７】
ステアリングハンドル４４のフランジ４４４が上部カバー５１の壁部５１２にかかってステアリングハンドル４４が上部カバー５１から離脱しない。そして、上部カバー５１と下部カバー５２を結合した時に形成される内部空間は、ステアリングハンドル４４が上下への遊びを最小化するように形成されることが好ましい。
【００３８】
また、図５に示すように、ステアリングハンドル４４のフランジ４４４上には突起部４４８が具備される。この突起部４４８は、図６に示すように、ステアリングハンドル４４の回動時に、上部カバー５１の壁部５１２の底面に形成された複数個の溝部５１３に順次に挿入及び離脱することで、使用者にとって物理的にステアリングハンドル４４の回動角度を見積ることができるようにする。そのため、複数個の溝部５１３は相互間に予め定められた角度、例えば７〜８゜で間隔を置いて形成されることができる。
【００３９】
図５に示すように、回動ストッパー４５は、ステアリングハンドル４４の回動を防ぐ。そのため、回動ストッパー４５は、上部カバー５１及び下部カバー５２を貫通するバー４５１、バー４５１から延長するバーフランジ部４５２、バーフランジ部４５２から延長し、ステアリングハンドル４４の複数個の係止溝４４５に選択的に結合する係止突起４５３及び、一端はバーフランジ部４５２に接触し、他端は下部カバー５２の内壁に接触する弾性部材、例えばバネ４５４を含む。
【００４０】
具体的に、ステアリングハンドルのフランジ４４４の下部には、複数個の係止溝４４５がフランジ４４４の周り方向に形成される。
【００４１】
図２及び図９に示すように、バルーン移動部３は、チューブ管３１及びチューブ管移動部３２を含む。そして、バルーン移動部３は、チューブ管３１及び流体供給チューブ固定管１１と連動して一体で移動する。そのため、図１の（ｃ）に示すように、本体部５には長方向溝５３が本体部５の長さ方向に形成されている。
【００４２】
チューブ管３１は、バルーンガイドチューブ１を内包しながらバルーンガイドチューブ１に沿って相対的にスライドし、一端に膨脹可能なバルーン２が固定される。
【００４３】
チューブ管移動部３２はチューブ管３１に固定され、チューブ管３１をバルーンガイドチューブ１に沿って前後に移動させる。
【００４４】
ここで、チューブ管３１はバルーン２と同一の材質でコーティングされ、バルーン２はチューブ管３１上に融着される。例示として、チューブ管３１は、ステンレススチールで製作されることができる。従来は該チューブ管３１に直ぐバルーン２を融着させて製作したが、この場合、異種材質が互いに融着しており、バルーンに流体が流入されながら膨脹する時、チューブ管とバルーンが互いに充分に融着できずバルーンの外に流体が漏れる場合が度々あった。本実施例では、これを防止するために、チューブ管３１の外面をバルーン２と同一の材質で先にコーティングした後、バルーン２をチューブ管３１に融着させる。参考として、チューブ管３１の外面にバルーンと同一の材質をコーティングする時は、リフロー（ｒｅｆｌｏｗ）工程が例示として使用されることができる。
【００４５】
図７に示すように、バルーンガイドチューブ１には３個の貫通孔１２、１３、１４が形成されることができる。この中で２個の貫通孔１２、１３には第１及び第２ワイヤ４２、４３がそれぞれ通過し、バルーンガイドチューブ１の中心に位置する残りの１個の貫通孔１４にはＬＥＤ繊維６が通過することができる。
【００４６】
図２に示すように、本体部５には、ＬＥＤ繊維６に電源を供給する電源供給部、例えば、バッテリー７が具備されることができる。
【００４７】
そして、上部カバー５１にはスリット５１４が形成され、該スリット５１４に挿入されて電源供給部７からＬＥＤ繊維６への電源供給を選択的に遮断することができる遮断プレート８を具備することができる。
【００４８】
一方、本バルーンカテーテルには、膨脹可能なバルーン２に流体を供給可能な流体ポート９が具備される。
【００４９】
図８及び図９に示すように、流体ポート９から延長する流体供給チューブ１０は、チューブ管３１を取り囲みながらチューブ管３１の外壁に固定された流体供給チューブ固定管１１に連結される。
【００５０】
そして、チューブ管３１の外壁には、流体供給チューブ１０から流出された流体が流入される流体流入孔３１１が形成される。
【００５１】
これを通じて、流体は、流体ポート９、流体供給チューブ１０、流体供給チューブ固定管１１、流体流入孔３１１に順次に流入されて、チューブ管３１の内壁と、バルーンガイドチューブ１を取り囲む第２チューブ管３３との間の流路を通じてバルーン２に供給される。
【００５２】
以下では、上述した構成を有する本発明の一実施例によるバルーンカテーテルの作用について説明する。本バルーンカテーテルは、例示として副鼻洞炎（ｓｉｎｕｓｉｔｉｓ）手術に使用されることができる。
【００５３】
先ず、図１に示すような状態で、本バルーンカテーテルを副鼻洞を形成する前頭洞、上顎洞、篩骨洞などの治療のために鼻の中に挿入する。
【００５４】
次に、副鼻洞内の所望の位置にバルーンガイドチューブ１の末端が位置するように、必要に応じてステアリングハンドル４４を回動させてバルーンガイドチューブ１の末端を撓ませる。そのため、バー４５１を上部カバー５１から下部カバー５２方向に押して係止突起４５３が係止溝４４５から離脱するようにしてステアリングハンドル４４の回動を可能にする。一方、第１及び第２ワイヤ４２、４３が形成する平面は、ステアリングハンドル４４の中心部（中心軸）Ａに対して垂直であり、ステアリングハンドル４４の中心部Ａをバルーンガイドチューブ１の中心線Ｃ１の延長線上に位置させることで、使用者がガイドチューブ１の末端の撓む方向及び程度を正確に調節することができる。
【００５５】
そして、遮断プレート８を上部カバー５１のスリット５１４から分離してＬＥＤ繊維６に電源が供給されるようにして、バルーンガイドチューブ１が副鼻洞内で所望の位置に挿入されたかを視覚的に確認することができる。
【００５６】
また、ステアリングハンドル４４の回動時に、ステアリングハンドル４４の突起部４４８が上部カバー５１の溝部５１３に順次に挿入、離脱することで、使用者はステアリングハンドル４４の回動角度を物理的に見積ることができるようになる。
【００５７】
次に、図１１に示すように、バルーンガイドチューブ１の末端が所望の位置に位置するようにバルーンガイドチューブ１の末端が撓んだ状態で、バー４５１に加えられる力を除去すれば、弾性部材４５４の復元力によってバー４５１は下部カバー５２から上部カバー５１方向に移動しながら係止突起４５３が係止溝４４５に結合して、ステアリングハンドル４４が回動した状態で固定される。これを通じて、バルーンガイドチューブ１の末端は撓んだ状態で固定される。
【００５８】
次に、図１２に示すように、チューブ管移動部３２を前方に押せば、これに連動してチューブ管３１が前方に移動し、この時、バルーン２はバルーンガイドチューブ１に沿ってスライドしながらバルーンガイドチューブ１の末端に移動する。
【００５９】
次に、流体ポート９で流体を注入すると、流体が流体供給チューブ１０、流体流入孔３１１、そしてチューブ管３１の内壁とバルーンガイドチューブ１を取り囲む第２チューブ管３３の外壁との間の流路を通じてバルーン２に供給され、バルーン２は膨らむようになる。
【００６０】
以上、本発明の好ましい実施例について詳しく説明したが、本発明の権利範囲はこれに限定されるものではなく、次の請求の範囲で定義している本発明の基本概念を利用した当業者の様々な変形及び改良形態も本発明の権利範囲に属する。
【符号の説明】
【００６１】
１…バルーンガイドチューブ、２…バルーン、３…バルーン移動部、４…撓み調整部、５…本体部、４１…リング部、４２…第１ワイヤ、４３…第２ワイヤ、４４…ステアリングハンドル。
【要約】
【課題】使用者が所望の角度でカテーテル末端を使用者が所望の位置に撓ませた後、オンオフ方式で手軽く固定することができるバルーンカテーテルを提供する。
【解決手段】バルーンカテーテルは、バルーンガイドチューブ１の末端を撓ませる撓み調整部４を含む。撓み調整部４は、バルーンガイドチューブ１の末端に固定されたリング部４１と、リング部４１に一端が固定された第１及び第２ワイヤ４２，４３と、第１及び第２ワイヤ４２，４３の他端が固定されるステアリングハンドル４４とを含む。ステアリングハンドル４４はその回動時の中心部がバルーンガイドチューブ１の中心線の延長線上に位置している。第１及び第２ワイヤ４２，４３の他端は、ステアリングハンドル４４の中心部から同一距離に形成されたステアリングハンドル４４のワイヤ案内孔に挿入され、第１及び第２ワイヤ４２，４３が形成する平面はステアリングハンドル４４の中心部に対して垂直である。
【選択図】      図２【図１】
0006822709.tif 000002
【図２】
0006822709.tif 000003
【図３】
0006822709.tif 000004
【図４】
0006822709.tif 000005
【図５】
0006822709.tif 000006
【図６】
0006822709.tif 000007
【図７】
0006822709.tif 000008
【図８】
0006822709.tif 000009
【図９】
0006822709.tif 000010
【図１０】
0006822709.tif 000011
【図１１】
0006822709.tif 000012
【図１２】
0006822709.tif 000013
【図１３】
0006822709.tif 000014